(57)【要約】【課題】画面の上下端或いはコーナー部に発生する局所的な歪みを陰極線管のネック部に２極電磁コイルを備えることにより歪み補正する歪画補正装置及びディスプレイ装置を提供する。【解決手段】画歪補正装置は、陰極線管のネック部に水平に取り付けられた２極電磁コイルと、電子ビームを偏向させる水平・垂直同期信号に同期したタイミング信号を発生させるタイミング発生手段と、画面の上下端位置及びコーナー部に対応した歪補正データを記憶する記憶手段と、このタイミング発生手段からのタイミング信号に同期して歪補正データを記憶手段から読み出し、この読み出した歪補正データに基づいて２極電磁コイルに供給する歪補正波形電流を生成する電流変換手段と、を備えたことである。【選択図】    図１
2005020148.tif 000002
【特許請求の範囲】
【請求項１】
陰極線管のネック部に水平に取り付けられた２極電磁コイルと、
電子ビームを偏向させる水平・垂直同期信号に同期したタイミング信号を発生させるタイミング発生手段と、
画面の上下端位置及びコーナー部に対応した歪補正データを記憶する記憶手段と、
前記タイミング発生手段からのタイミング信号に同期して前記歪補正データを前記記憶手段から読み出し、該読み出した歪補正データに基づいて前記２極電磁コイルに供給する歪補正波形電流を生成する電流変換手段と、
を備えたことを特徴とする画歪補正装置。
【請求項２】
陰極線管のネック部に水平に取り付けられた２極電磁コイルと、
電子ビームを偏向させる水平・垂直同期信号に同期したタイミング信号を発生させるタイミング発生手段と、
画面の上下端位置及びコーナー部に対応した歪補正データを記憶する記憶手段と、
前記記憶手段からの歪補正データを補完し、画面全体の補正データを生成する補完手段と、
前記補完手段により生成された補正データに基づく歪補正波形電流を前記２極電磁コイルに供給する電流変換手段と、
を備えたことを特徴とする画歪補正装置。
【請求項３】
陰極線管と、該陰極線管の画歪みを補正する画歪補正装置とを備えたディスプレイ装置であって、
前記画歪補正装置は、
陰極線管のネック部に水平に取り付けられた２極電磁コイルと、
電子ビームを偏向させる水平・垂直同期信号に同期したタイミング信号を発生させるタイミング発生手段と、
画面の上下端位置及びコーナー部に対応した歪補正データを記憶する記憶手段と、
前記タイミング発生手段からのタイミング信号に同期して前記歪補正データを前記記憶手段から読み出し、該読み出した歪補正データに基づいて前記２極電磁コイルに供給する歪補正波形電流を生成する電流変換手段と、を備えたことを特徴とするディスプレイ装置。
【請求項４】
陰極線管と、該陰極線管の画歪みを補正する画歪補正装置とを備えたディスプレイ装置であって、
前記画歪補正装置は、
陰極線管のネック部に水平に取り付けられた２極電磁コイルと、
電子ビームを偏向させる水平・垂直同期信号に同期したタイミング信号を発生させるタイミング発生手段と、
画面の上下端位置及びコーナー部に対応した歪補正データを記憶する記憶手段と、
前記記憶手段からの歪補正データを補完し、画面全体の補正データを生成する補完手段と、
前記補完手段により生成された補正データに基づく歪補正波形電流を前記２極電磁コイルに供給する電流変換手段と、を備えたことを特徴とするディスプレイ装置。
【発明の詳細な説明】
【０００１】
【発明の属する技術分野】
本発明は、画歪補正装置及びディスプレイ装置に関するものであり、詳しくは、画面の垂直方向の局所的な画歪みを補正できる画歪補正装置及びディスプレイ装置に関する。
【０００２】
【従来の技術】
従来技術における陰極線管を用いたディスプレイ装置であるテレビジョン受像機は、図５に示すように、ネック部１１２に配置した偏向ヨーク１１３を備えた陰極線管１１１と、偏向ヨーク１１３に水平偏向信号及び垂直変更信号を供給する水平及び垂直偏向回路１１５、１１６からなる偏向回路１１４と、この偏向回路１１４を制御するＹ／Ｃプロセッサー１１８、レジスタ１１９等で生成された制御部１１７とから大略構成されている。
【０００３】
このような構成からなるテレビジョン受像機においては、水平及び垂直偏向回路１１５、１１６からなる偏向回路１１４に供給されて水平偏向信号と垂直偏向信号がそれぞれ生成され、陰極線管１１１に取付けられている偏向ヨーク１１３の水平及び垂直偏向コイルに供給されることで、所望の映像が再現される。
【０００４】
ところで、水平方向の画歪みに対しては、水平偏向回路１１５にて、ある程度の補正ができる。又、水平偏向回路１１５の前段部分に設けた制御部１１７のＹ／Ｃプロセッサー１１８においても水平方向の偏向歪み補正を、Ｉ２バスに接続されているレジスター１１９のデータを変更することにより調整が可能となっている。
【０００５】
垂直方向の画歪みに対しては、制御部１１７のＹ／Ｃプロセッサー１１８により調整可能な項目もあるが、それはサイズ（振幅）やセンター（ＤＣレベル）などを調整するものが主なものとなっている。
【０００６】
更に、偏向ヨーク１１３の上下には図示しないマグネットが取り付けられ、その着磁量により、図６に示すように、上下ピン歪みと呼ばれるひずみを補正している。
【０００７】
又、陰極線管１１１のネック部１１２にコア付きコイルを取り付け、そのコイルにＶパラボラ波形を入力して、Ｖピン歪みを補正する。
【０００８】
【特許文献１】
特開２００２−３２０１０６号公報  （第３頁  第１図）
【０００９】
【発明が解決しようとする課題】
しかしながら、従来技術で説明した画歪みに対して、垂直方向に対する歪みは制御部のＹ／Ｃプロセッサーによる調整項目にサイズ（振幅）やセンター（ＤＣレベル）などの調整に限定され、画面の上下端やコーナー部に発生する局所的な画歪み補正はできないという問題がある。
【００１０】
又、偏向ヨークの上下に取付けたマグネットの着磁量で上下ピン歪みの補正をしているが、この補正手法では画面のコーナ部又は中間部の局所的な歪みに対しては補正できないという問題もある。
【００１１】
Ｖピン歪みの補正には、陰極線管のネック部にコア付きコイルを取り付け、そのコイルにＶパラボラ波形を入力するようにしているが、この補正手法では画面のコーナー部、又は中間部に発生する局所的な歪み補正はできないという問題がある。
【００１２】
これは、例えば、コーナー部の局所的歪みを改善しようとすると、その部分の偏向ヨークが作り出す磁界を弱める方向にする必要があるが、その影響によりコンバージェンス特性が悪化してしまうからである。
又、マグネットなどで強制的に歪みを補正しようとすると電子ビームの歪みフォーカス特性を悪化させてしまうからである。
【００１３】
このように、現在の偏向ヨークの特性は各陰極線管のインチサイズに合わせて、画歪み、コンバージェンス、フォーカス特性が最もバランスするように設計されており、既存の回路補正では垂直方向の局所的な画歪みを補正することはできないという問題がある。
【００１４】
従って、現在の偏向ヨークの特性を維持した状態で、画面の局所、例えば画面の上下端或いはコーナー部に発生する局所歪みを補正することができる構成に解決しなければならない課題を有する。
【００１５】
【課題を解決するための手段】
上記課題を達成するために、本発明に係る画歪補正装置及びディスプレイ装置は、次に示す構成にすることである。
【００１６】
（１）画歪補正装置は、陰極線管のネック部に水平に取り付けられた２極電磁コイルと、電子ビームを偏向させる水平・垂直同期信号に同期したタイミング信号を発生させるタイミング発生手段と、画面の上下端位置及びコーナー部に対応した歪補正データを記憶する記憶手段と、前記タイミング発生手段からのタイミング信号に同期して前記歪補正データを前記記憶手段から読み出し、該読み出した歪補正データに基づいて前記２極電磁コイルに供給する歪補正波形電流を生成する電流変換手段と、を備えたことである。
【００１７】
（２）画歪補正装置は、ネック部に水平に取り付けられた２極電磁コイルと、電子ビームを偏向させる水平・垂直同期信号に同期したタイミング信号を発生させるタイミング発生手段と、画面の上下端位置及びコーナー部に対応した歪補正データを記憶する記憶手段と、前記記憶手段からの歪補正データを補完し、画面全体の補正データを生成する補完手段と、前記補完手段により生成された補正データに基づく歪補正波形電流を前記２極電磁コイルに供給する電流変換手段と、を備えたことである。
【００１８】
（３）ディスプレイ装置は、陰極線管と、該陰極線管の画歪みを補正する画歪補正装置とを備えたディスプレイ装置であって、前記画歪補正装置は、陰極線管のネック部に水平に取り付けられた２極電磁コイルと、電子ビームを偏向させる水平・垂直同期信号に同期したタイミング信号を発生させるタイミング発生手段と、画面の上下端位置及びコーナー部に対応した歪補正データを記憶する記憶手段と、前記タイミング発生手段からのタイミング信号に同期して前記歪補正データを前記記憶手段から読み出し、該読み出した歪補正データに基づいて前記２極電磁コイルに供給する歪補正波形電流を生成する電流変換手段と、を備えたことである。
【００１９】
（４）ディスプレイ装置は、陰極線管と、該陰極線管の画歪みを補正する画歪補正装置とを備えたディスプレイ装置であって、前記画歪補正装置は、陰極線管のネック部に水平に取り付けられた２極電磁コイルと、電子ビームを偏向させる水平・垂直同期信号に同期したタイミング信号を発生させるタイミング発生手段と、画面の上下端位置及びコーナー部に対応した歪補正データを記憶する記憶手段と、前記記憶手段からの歪補正データを補完し、画面全体の補正データを生成する補完手段と、前記補完手段により生成された補正データに基づく歪補正波形電流を前記２極電磁コイルに供給する電流変換手段と、を備えたことである。
【００２０】
このように、陰極線管のネック部に水平に２極電磁コイルを取付け、この２極電磁コイルに画面の上下端或いはコーナー部に対応する歪補正データに基づく歪補正波形電流を供給するようにしたことで、画面の上下端或いはコーナー部の局所で発生する歪みを補正することができる。
【００２１】
【発明の実施の形態】
次に、本願発明に係る画歪補正装置及びディスプレイ装置の実施形態について図面を参照して説明する。
【００２２】
本願発明に係る画歪補正装置を備えたディスプレイ装置は、図１に示すように、陰極線管１１と、この陰極線管１１の画面の上下端或いはコーナー部に発生する局所の歪みを補正する画歪補正装置２２とを備えた構成になっている。
陰極線管１１は、方形状の正面形状を有するフェースパネル部１２と、フェースパネル部１２の後方に接合されたファンネル部１３と、ファンネル部１３の後部に接合された電子銃１５を内蔵したネック部１４とから構成されている。
【００２３】
更に、ネック部１４には偏向ヨーク２１が設けられている。偏向ヨーク２１は、図示せぬ垂直偏向コイル及び水平偏向コイル等より構成されている。
このネック部１４には、偏向ヨーク２１の後方に水平方向になるように空芯２極コイルである２極電磁コイル２３を取付けた構成になっている。
【００２４】
画歪補正装置２２は、図１及び図２に示すように、陰極線管１１のネック部１４に水平方向になるように取付けた２極電磁コイル２３と、電子ビーム１５を偏向させる水平・垂直同期信号２４，２５に同期したタイミング信号を発生させるタイミング発生手段２６と、図３に示す局所的画歪みに対処するために、画面の上下端位置及びコーナー部に対応した歪補正データを記憶する記憶手段２７と、タイミング発生手段２６からのタイミング信号に同期して歪補正データを記憶手段２７から読み出し、この読み出した歪補正データに基づいて２極電磁コイル２３に供給する歪補正波形電流を生成する電流変換手段２８と、を備えた構成になっている。
【００２５】
電流変換手段２８は、記憶手段２７からの読み出しは水平同期信号、垂直同期信号に同期させ、Ｄ／Ａ変換部でアナログ信号に変換し、広帯域パワーアンプに接続し、歪補正波形電流として２極電磁コイル２３に供給する。
【００２６】
２極電磁コイル２３は、実施例において銅線を数１０ターン巻いたコイル２個をネック部１４に水平になるように配置させ、それぞれのコイルは直列又は並列に接続し、画歪補正装置２２に接続する。
【００２７】
記憶手段２７は、所謂、メモリであり、水平同期信号及び垂直同期信号に同期させて読み出す。
このメモリに記憶する歪補正データは、陰極線管１１の表面の有効画面を９×９ポイントに分割し、更にその外側である有効画面外と水平ブランキング及び垂直ブランキング期間の間に各１ポイントを配置させることで、計１１×１１ポイントの調整点で形成されている。
そして、この各調整点には８ビットの歪補正データを使用する。各調整点の水平方向、垂直方向は直線近似処理を行ってデータを補完することにより、テレビジョンの水平偏向ライン数と同数のデータを作り出す。
この補完したデータをテレビジョンセットの水平及び垂直同期信号に同期させて記憶手段２７であるメモリーから読み出す。
この読み出したデータは、電流変換手段２８のＤ／Ａ変換部で変換させた後に増幅部で増幅され、ローパスフィルターを通して歪補正波形電流として２極電磁コイル２３に供給される。
【００２８】
このように、記憶手段２７であるメモリ内に保持されるデータを変化させることにより、波形の振幅、図３に示す局所的画歪みに対応した波形形状を容易に変更可能で汎用性を持たせることができる。有効画面内の調整点数は画歪みのパターンに合わせて任意の調整点数を採用して構わない。有効画面外の調整点は有効画面内に配置された調整点よりもさらに外側に向かって局所的な画歪みを補正するために必要となる。
調整点間の近似平均によるデータ補完は、ハードウェア又はソフトウェアにて行う。画面上に発生する画歪みは垂直方向に対しては増幅部後のローパスフィルターにより、局所的画歪みを補正する為に入力された歪補正データから作り出される波形をスムーズな波形に変換させることにより、同一水平変更期間内で実際に発生している画歪みに近い波形となっている。
【００２９】
この波形は、図４に示すように、画面中心から上下端方向へ向かって歪み量は大きくなり、コーナー部では局所的に内側に曲がるパターンが発生する。この場合は、歪補正波形電流を２極電磁コイル２３に流すことにより、画歪みを補正することができ、局所的に曲がっている曲線を真直ぐにすることができる。この波形は水平補正波形を垂直方向に変調し、画面上下端で強く補正し、中心部では補正なしとなっている。
又、水平方向では、コーナー部の局所的な画歪みを補正するために画面左右部で山型の波形ができて強く補正し、中心部では補正なしとなっている。
【００３０】
【発明の効果】
以上説明したように、本願発明に係る画歪補正装置及びディスプレイ装置は、陰極線管のネック部に水平に２極電磁コイルを取付け、この２極電磁コイルに画面の上下端或いはコーナ部に対応する歪補正データに基づく歪補正波形電流を供給するようにしたことで、画面の上下端或いはコーナー部の局所で発生する歪みを補正することができるという効果がある。
【図面の簡単な説明】
【図１】本発明に係る画歪補正装置を備えたディスプレイ装置を略示的に示したブロック図である。
【図２】同、画歪補正装置のブロック図である。
【図３】同、局所に発生する歪み例を示したもので、画面上下端とコーナー部での歪みが発生している様子を示した説明図である。
【図４】同、垂直及び水平同期信号に同期した歪補正データを示した補正波形図である。
【図５】従来技術におけるテレビジョン受像機を略示的に示したブロック図である。
【図６】同、上下ピン歪みを示したものである。
【符号の説明】
１０；ディスプレイ装置、１２；フェースパネル部、１３；ファンネル部、１４；ネック部、１５；電子銃、２１；偏向ヨーク、２２；画歪補正装置、２３；２極電磁コイル、２４；垂直同期信号、２５；水平同期信号、２６；タイミング発生手段、２７；記憶手段、２８；電流変換手段。
【図１】
2005020148.tif 000003
【図２】
2005020148.tif 000004
【図３】
2005020148.tif 000005
【図４】
2005020148.tif 000006
【図５】
2005020148.tif 000007
【図６】
2005020148.tif 000008